(57)【要約】【課題】入力側表示装置に表示された画像の入力側視環境下における見えまたはその特徴を、出力側視環境下において、入力側表示画像の画像データを用いて出力側表示装置に表示された画像において略同様に再現する際、照明環境が変っても、見えの一致を図ることができる画像入出力方法及びシステムを提供する。【解決手段】画像データに基づいて画像を表示する入力側画像表示装置、その表示画面を照明する照明光を検出する照明検出装置及び画像データに照明光の照明情報をタグ情報として添付する情報添付手段とを備える画像入力側システムと、このシステムから受け取った画像データに基づいて画像を再現表示する出力側画像表示装置、その表示画面を照明する光源と、タグ情報の照明情報に基づいて光源を制御する光源制御装置とを備える画像出力側システムとを有し、光源制御装置は、照明情報に基づいて、再現表示された画像の見え又はその特徴が略一致するように、光源からの照明光を制御するにより、上記課題を解決する。【選択図】図１
2010239498.tif 000002
【特許請求の範囲】
【請求項１】
画像データに基づいて入力側画像を表示する入力側画像表示装置、前記入力側画像が表示された前記入力側画像表示装置の表示画面を照明する照明光を検出する照明検出装置、及び前記画像データに前記照明検出装置によって検出された照明光の入力側照明情報をタグ情報として添付する情報添付手段とを備える画像入力側システムと、
この画像入力側システムから受け取った前記タグ情報が添付された前記画像データに基づいて出力側画像を再現表示する出力側画像表示装置、この出力側画像表示装置の表示画面を照明する光源と、前記タグ情報の前記入力側照明情報に基づいて前記光源を制御する光源制御装置とを備える画像出力側システムとを有し、
前記光源制御装置は、前記入力側照明情報に基づいて、前記出力側画像表示装置の表示画面に再現表示された前記出力側画像の見えまたはその特徴が、前記入力側画像表示装置の表示画面に表示された前記入力側画像の見えまたはその特徴と略一致するように、前記光源からの照明光を制御することを特徴とする画像入出力システム。
【請求項２】
前記入力側照明情報及び前記出力側画像表示装置は、同一の表示特性を有するものである請求項１に記載の画像入出力システム。
【請求項３】
前記タグ情報は、さらに、前記入力側画像表示装置の表示特性情報を含み、
前記出力側画像表示装置の表示特性は、前記タグ情報の前記入力側画像表示装置の表示特性情報に基づいて同様に制御されるものである請求項１に記載の画像入出力システム。
【請求項４】
前記光源制御装置は、前記入力側照明情報に基づいて、前記出力側画像表示装置の表示画面の照明環境を前記入力側画像表示装置の表示画面の照明環境と略同一になるように前記光源からの照明光を制御して、前記出力側画像の見えと、前記入力側画像の見えとを略一致させるものである請求項１〜３のいずれかに記載の画像入出力システム。
【請求項５】
前記照明検出装置は、前記入力側画像表示装置の表示画面を照明する照明光の色温度及び光量のすくなくとも１つを検出するものであり、
前記入力側照明情報は、前記入力側画像表示装置の表示画面を照明する照明光の色温度及び光量のすくなくとも１つであり、
前記光源制御装置は、前記入力側照明情報に基づいて、前記出力側画像表示装置の表示画面を照明する照明光の色温度及び光量のすくなくとも１つと、前記入力側画像表示装置の表示画面の照明光の色温度及び光量のすくなくとも１つとが略同一になり、前記出力側画像の見えと、前記入力側画像の見えとが略一致するように、前記光源を制御するものである請求項１〜４のいずれかに記載の画像入出力システム。
【請求項６】
前記画像出力側システムは、さらに、前記出力側画像表示装置の表示画面を照明する前記光源からの照明光を検出する出力側照明検出装置を備え、
前記光源制御装置は、前記入力側照明情報及び前記出力側照明検出装置によって検出された前記光源からの照明光の検出結果に基づいて、前記出力側画像表示装置の表示画面を照明する照明光と前記入力側画像表示装置の表示画面を照明する照明光とが同一となり、前記出力側画像の見えと前記入力側画像の見えとが一致するように、前記光源を制御するものである請求項１〜５のいずれかに記載の画像入出力システム。
【請求項７】
前記画像入力側システムは、さらに、前記入力側画像表示装置の表示画面に表示させる前記入力側画像を撮影する撮影部を備える撮影装置を含む請求項１〜６のいずれかに記載の画像入出力システム。
【請求項８】
前記入力側画像表示装置は、前記撮影装置の撮影画像を表示するための前記撮影装置に付属する画像表示装置である請求項７に記載の画像入出力システム。
【請求項９】
前記入力側画像表示装置は、前記撮影装置とは独立した画像表示装置である請求項７に記載の画像入出力システム。
【請求項１０】
前記情報添付手段は、前記入力側照明情報が添付された画像データを格納する画像ファイルを作成する画像ファイル作成手段である請求項１〜９のいずれかに記載の画像入出力システム。
【請求項１１】
前記画像入力側システムは、前記画像ファイルを前記画像出力側システムに通信手段を介して伝送する請求項１０に記載の画像入出力システム。
【請求項１２】
前記入力側画像の見えの特徴とは、前記画像入力側システムのユーザによって注目されている領域の画像である請求項１〜１１のいずれかに記載の画像入出力システム。
【請求項１３】
前記タグ情報は、さらに、前記画像データの階調特性に関する情報を含み、
前記画像出力側システムは、さらに、前記画像データに画像処理を行う制御部を備え、
前記制御部は、前記タグ情報の前記入力側照明情報及び前記画像データの階調特性に関する情報に基づいて、前記画像データの階調特性を変換して、前記出力側画像表示装置の表示画面に表示させる請求項１〜１２のいずれかに記載の画像入出力システム。
【請求項１４】
前記制御部は、さらに、前記出力側画像表示装置の表示画面に表示された変換階調特性において、特定の変換階調特性を示す領域を識別可能に表示する請求項１３に記載の画像入出力システム。
【請求項１５】
画像入力側において、
画像データに基づいて入力側画像を入力側画像表示装置の表示画面に表示し、
前記入力側画像が表示された前記入力側画像表示装置の表示画面を照明する照明光を検出し、
前記画像データに、検出された照明光の入力側照明情報をタグ情報として添付し、
画像出力側において、
前記画像入力側から受け取った前記タグ情報が添付された前記画像データに基づいて出力側画像を出力側画像表示装置の表示画面に再現表示し、
前記出力側画像表示装置の表示画面を光源からの照明光で照明するに際し、
前記光源からの照明光は、前記入力側照明情報に基づいて、前記出力側画像表示装置の表示画面に再現表示された前記出力側画像の見えまたはその特徴が、前記入力側画像表示装置の表示画面に表示された前記入力側画像の見えまたはその特徴と略一致するように制御されることを特徴とする画像入出力方法。
【発明の詳細な説明】
【技術分野】
【０００１】
本発明は、印刷分野において、入力側画像表示装置に表示された画像の入力側視環境下における見えまたはその特徴を、出力側視環境下において、入力側表示画像の画像データを用いて出力側画像表示装置に表示された画像において再現することのできる画像入出力方法及びシステムに関する。
【背景技術】
【０００２】
近年、印刷分野においては、迅速性や簡便性の点から、リバーサルフィルムに撮影された画像の入稿に代わって、デジタルカメラで撮影された画像のデジタル画像データによる入稿が増えてきている。
このデジタルカメラで撮影された画像のデジタル画像データによる入稿は、遠隔地からでもネットワークによる入稿が可能であるとか、スキャナ工程が不要になるなど、フィルム入稿と比べて納期・コスト面でのメリットが大きいが、入稿物である画像ファイルの実体は、数値データの集合でしかなく、色の実体ではないため、色の実体に変換するにはモニタ等に出力する必要がある。しかしながら、カメラマン・製版会社・印刷発注者のモニタの特性が揃っているとは限らないため、「見えの伝達」の確実性が保証されず、多くの現場で工程上混乱が生じている。
【０００３】
例えば、全体が赤っぽい風景画像が入稿された時、カメラマンは、夕日の雰囲気を出すために赤っぽくしたのか、赤っぽくする意図は無かったのにモニタの調整が狂っていて色がずれてしまったのか、受け取った側には判断が出来ず、校正刷りまで進んでやり直しが必要になり、時間とコストとの無駄が発生するようなケースが起こっている。
入稿する側において、モニタのキャリブレーションをきちんと行い、モニタ設置場所の照明環境を標準的な条件にコントロールすれば、上述のような問題は、解決することは知られているが、様々な場所で撮影業務を行わないといけないカメラマンにとって、そのような条件を整えることは現実的ではない。
【０００４】
このため、照明環境が変化しても、モニタ上の色を合わせる技術が提案されている（特許文献１、２および３参照）。
特許文献１に開示された技術は、画像入力手段としてスキャナを、画像出力手段としてプリンタ、又はモニタを用い、もしくは、画像入力手段としてモニタを、画像出力手段としてプリンタを用い、スキャナで原画像を読み取って画像データを取得し、あるいはモニタの表示画像を原画像の画像データとし、得られた画像データの再現画像をプリンタで、又はモニタに出力する際に、色彩計のセンサ等のスキャナ光源センサ、プリンタ光源センサ、モニタ光源センサでそれぞれスキャナ、プリンタ、モニタの光源情報を読み取り、読み取られた光源情報に基づいて、色補正手段で色順応方程式を用いて原画像と再現画像の色が一致するように色補正を行う画像入出力装置に関するものである。
こうして、特許文献１では、画像の観察光源が標準光源と異なっていても、また、原画像の観察光源と再現画像の観察光源が違っていても、それぞれの観察環境下で、原画像と再現画像の色が一致して見えるようにすることができるとしている。
【０００５】
また、特許文献２に開示された技術は、ＣＲＴモニタ等のソフトコピー画像を自己発光して出力する画像表示装置と、スキャナやプリンタ等のハードコピー画像を取り扱う（出力または取り込む）画像読取装置や画像記録装置との間で伝送される画像データが、蛍光灯が発する光などの周囲光およびＣＲＴモニタの発する光などの環境光（視環境）に応じて、ソフトコピー画像及びハードコピー画像の色の見えが一致するように画像処理する画像処理方法および装置に関するものである。
これにより、特許文献２では、ハードコピー画像およびソフトコピー画像の色の見えの違いをなくすことができるとしている。
【０００６】
また、特許文献３に開示された技術は、検出部で周囲照明光の第１及び第２色信号成分を検出し、判断部で第１及び第２色信号成分の比率を用いて照明光の種類を判断する周囲光の判断装置及び方法、並びに記憶部に照明光の各種類に該当する映像補償データを記憶しておき、上記の判断装置の判断部で判断された照明光の種類に従い、映像処理部で記憶部から読み出された映像補償データにより映像補正を行う映像補正制御装置及び方法に関するものである。
これにより、特許文献３では、映像表示機器周辺の色信号を検出し、それによって感知された照明環境及び照明環境の変化に従って、映像データを自動に補正して最適な視聴の際の画質を確保することができるとしている。
【先行技術文献】
【特許文献】
【０００７】
【特許文献１】特開平０６−０２８４３７号公報
【特許文献２】特開平０７−２２２１９６号公報
【特許文献３】特開平１０−３０４３９５号公報
【発明の概要】
【発明が解決しようとする課題】
【０００８】
ところで、上述したように、特許文献１の技術は、原画像の観察光源と再現画像の観察条件が違っていても、それぞれの観察環境下で、原画像と再現画像の色が同じに見えるように、画像信号に補正を加えるものであり、特許文献２の技術は、視環境（周囲光及びＣＲＴモニタの発する光など）に応じて、ソフトコピー画像及びハードコピー画像の色の見えを一致させるように画像処理するものであり、特許文献３の技術は、照明光の種類に従い映像補正を行うものである。すなわち、特許文献１、２及び３に開示の技術は、いずれも照明環境が変化しても、再現画像の色が標準的な照明環境下で観察した時と同じ色になるように、再現画像の色を制御するものである。
しかしながら、このような制御を精度良く行おうとすると、画像表示装置は、コストアップとなる上に、照明環境が大きく変化すると、そもそも再現できない色が出てきて、例えば、直射日光が当っているモニタでは、シャドー部分の色再現性は確保できない等、精度上も限界があるため、多くのカメラマンが撮影現場や色調整の作業現場で使う上では、根本的な解決策になっていないという問題があった。
【０００９】
本発明の目的は、上記従来技術の問題点を解決し、印刷分野において、入力側表示装置に表示された画像の入力側視環境下における見えまたはその特徴を、出力側視環境下において、入力側表示画像の画像データを用いて出力側表示装置に表示された画像において略同様に再現することのでき、照明環境が変っても、見えの一致を図ることができる画像入出力方法及びシステムを提供することにある。
本発明の他の目的は、上記目的に加え、照明環境が変っても、入稿される画像の全体的な色味の意図伝達が確実にできる現実的な画像入出力方法及びシステムを提供することにある。
【課題を解決するための手段】
【００１０】
上記課題を解決するために、本発明に係る画像入出力システムは、画像データに基づいて入力側画像を表示する入力側画像表示装置、前記入力側画像が表示された前記入力側画像表示装置の表示画面を照明する照明光を検出する照明検出装置、及び前記画像データに前記照明検出装置によって検出された照明光の入力側照明情報をタグ情報として添付する情報添付手段とを備える画像入力側システムと、この画像入力側システムから受け取った前記タグ情報が添付された前記画像データに基づいて出力側画像を再現表示する出力側画像表示装置、この出力側画像表示装置の表示画面を照明する光源と、前記タグ情報の前記入力側照明情報に基づいて前記光源を制御する光源制御装置とを備える画像出力側システムとを有し、前記光源制御装置は、前記入力側照明情報に基づいて、前記出力側画像表示装置の表示画面に再現表示された前記出力側画像の見えまたはその特徴が、前記入力側画像表示装置の表示画面に表示された前記入力側画像の見えまたはその特徴と略一致するように、前記光源からの照明光を制御することを特徴とする。
【００１１】
ここで、前記入力側照明情報及び前記出力側画像表示装置は、同一の表示特性を有するものであるのが好ましい。
または、前記タグ情報は、さらに、前記入力側画像表示装置の表示特性情報を含み、前記出力側画像表示装置の表示特性は、前記タグ情報の前記入力側画像表示装置の表示特性情報に基づいて同様に制御されるものであるのが好ましい。
また、前記光源制御装置は、前記入力側照明情報に基づいて、前記出力側画像表示装置の表示画面の照明環境を前記入力側画像表示装置の表示画面の照明環境と略同一になるように前記光源からの照明光を制御して、前記出力側画像の見えと、前記入力側画像の見えとを略一致させるものであるのが好ましい。
【００１２】
また、前記照明検出装置は、前記入力側画像表示装置の表示画面を照明する照明光の色温度及び光量のすくなくとも１つを検出するものであり、前記入力側照明情報は、前記入力側画像表示装置の表示画面を照明する照明光の色温度及び光量のすくなくとも１つであり、前記光源制御装置は、前記入力側照明情報に基づいて、前記出力側画像表示装置の表示画面を照明する照明光の色温度及び光量のすくなくとも１つと、前記入力側画像表示装置の表示画面の照明光の色温度及び光量のすくなくとも１つとが略同一になり、前記出力側画像の見えと、前記入力側画像の見えとが略一致するように、前記光源を制御するものであるのが好ましい。
【００１３】
また、前記画像出力側システムは、さらに、前記出力側画像表示装置の表示画面を照明する前記光源からの照明光を検出する出力側照明検出装置を備え、前記光源制御装置は、前記入力側照明情報及び前記出力側照明検出装置によって検出された前記光源からの前記照明光の検出結果に基づいて、前記出力側画像表示装置の表示画面を照明する照明光と前記入力側画像表示装置の表示画面を照明する照明光とが同一となり、前記出力側画像の見えと前記入力側画像の見えとが一致するように、前記光源を制御するものであるのが好ましい。
【００１４】
また、前記画像入力側システムは、さらに、前記入力側画像表示装置の表示画面に表示させる前記入力側画像を撮影する撮影部を備える撮影装置を含むのが好ましい。
また、前記入力側画像表示装置は、前記撮影装置の撮影画像を表示するための前記撮影装置に付属する画像表示装置であるのが好ましく、または、前記撮影装置とは独立した画像表示装置であるのが好ましい。
また、前記情報添付手段は、前記入力側照明情報が添付された画像データを格納する画像ファイルを作成する画像ファイル作成手段であるのが好ましい。
また、前記画像入力側システムは、前記画像ファイルを前記画像出力側システムに通信手段を介して伝送するのが好ましい。
また、前記入力側画像の見えの特徴とは、前記画像入力側システムのユーザによって注目されている領域の画像であるのが好ましい。
【００１５】
また、前記タグ情報は、さらに、前記画像データの階調特性に関する情報を含み、前記画像出力側システムは、さらに、前記画像データに画像処理を行う制御部を備え、前記制御部は、前記タグ情報の前記入力側照明情報及び前記画像データの階調特性に関する情報に基づいて、前記画像データの階調特性を変換して、前記出力側画像表示装置の表示画面に表示させるのが好ましい。
また、前記制御部は、さらに、前記出力側画像表示装置の表示画面に表示された変換階調特性において、特定の変換階調特性を示す領域を識別可能に表示するのが好ましい。
また、前記画像入力側システムは、さらに、前記入力側画像表示装置の表示画面に表示された前記入力側画像の色及び濃度を調整する調整手段を備え、前記入力側画像表示装置の表示画面に表示された前記入力側画像は、前記画像入力側システムのユーザによって色及び濃度の少なくとも１つが調整されたものであるのが好ましい。
【００１６】
また、上記課題を解決するために、本発明に係る画像入出力方法は、画像入力側において、画像データに基づいて入力側画像を入力側画像表示装置の表示画面に表示し、前記入力側画像が表示された前記入力側画像表示装置の表示画面を照明する照明光を検出し、前記画像データに、検出された照明光の入力側照明情報をタグ情報として添付し、画像出力側において、前記画像入力側から受け取った前記タグ情報が添付された前記画像データに基づいて出力側画像を出力側画像表示装置の表示画面に再現表示し、前記出力側画像表示装置の表示画面を光源からの照明光で照明するに際し、前記光源からの照明光は、前記入力側照明情報に基づいて、前記出力側画像表示装置の表示画面に再現表示された前記出力側画像の見えまたはその特徴が、前記入力側画像表示装置の表示画面に表示された前記入力側画像の見えまたはその特徴と略一致するように制御されることを特徴とする。
【発明の効果】
【００１７】
本発明の画像入出力方法及びシステムによれば、画像データ（画像信号や映像信号）に補正を加えるのではなく、照明光の設定を補正するので、照明環境が変化する入力側のモニタ等の画像表示装置では表示画像の色の制御を行う必要がないし、照明環境を一定に設定することができる出力側（受け手側）のモニタ等の画像表示装置でも表示画像の色の制御を行う必要がなく、照明環境のみ再現することができるので、表示画像の色制御機構が不要で、コストがかからないし、カメラマン等の入力側画像表示装置のユーザがどんな画像を見ていたかを、製版会社等の受け手側が確実に知る又は理解することができる。
また、本発明によれば、照明環境だけでなく、モニタ等の画像表示装置の発光特性の差もキャンセルできるようにすることができ、カメラマン等の入力側がキャリブレーションのできないモニタ等の画像表示装置を使っている場合でも、カメラマン等の入力側が見た色を再現できる。
【００１８】
なお、本発明によれば、画像データ（画像信号や映像信号）に補正を加える場合には、さらに、色の見えを精度良く一致させられない領域が分るように表示することができる。すなわち、本発明によれば、照明環境が変化する入力側のモニタ等の画像表示装置では表示画像の色の制御を行わず、出力側（受け手側）のモニタ等の画像表示装置でのみ表示画像の色の制御を行うことにより、照明環境が原因で、色確認の精度の悪くなっている領域が分るので、使用する数量が多いカメラマン用モニタ等の入力側画像表示装置のコストが抑えられ、全体のコストダウンにつながるし、精度の良い領域の色はカメラマン等の入力側の指示通りに、精度の悪い領域の画質は製版会社等の受け手側が調整するという合理的な（リーズナブルな）分業が可能になる。
【図面の簡単な説明】
【００１９】
【図１】本発明の画像入出力システムの一実施例の構成を示す模式図である。
【図２】図１に示す画像入出力システムに用いられる光源の一実施例の構成を示す模式図である。
【図３】（ａ）は、本発明の画像入出力システムの出力側画像表示装置の表示画像の一例を示す図であり、（ｂ）は、（ａ）示す表示画像の表示構造を示す模式図である。
【図４】本発明の画像入力側システムの使用状態の一例を示す模式図である。
【図５】本発明の画像入出力システムの他の実施例の構成を示す模式図である。
【図６】本発明の画像入出力方法の一例を示すフロー図である。
【発明を実施するための形態】
【００２０】
以下に、本発明に係る画像入出力方法を実現する本発明の画像入出力システムを添付の図面に示す好適実施形態に基づいて詳細に説明する。
【００２１】
図１は、本発明における画像入出力システムの一実施例の構成を示す模式的ブロック図である。
図１に示す画像入出力システム１０は、画像入力側システム１２と、画像出力側システム１４とを有し、これらは、ネットワーク１６を介して接続されている。
画像入力側システム１２は、撮影部２０と、制御部２２と、操作部２４と、メモリ２６と、表示用メモリ２８と、モニタ３０と、照明光源３２と、照明センサ３４とを有し、画像出力側システム１４は、制御部３６と、操作部３８と、作業用メモリ４０と、表示用メモリ４２と、モニタ４４と、照明光源４６と、照明センサ４８と、光源制御部５０とを有する。
【００２２】
ここで、画像入力側システム１２は、カメラマンや発注者等のユーザの側（入力側）に配置され、ユーザが被写体を撮影して、印刷用に用いる被写体画像を作成し、必要に応じて画像データの色等を調整するなどの画像処理を行い、作成された被写体画像をモニタ３０に表示して確認し、確認された被写体画像の画像データをタグ情報と共に、印刷版等の製版を行う製版所などの受け手側（出力側）に配置された画像出力側システム１４にインターネットなどのネットワーク１６を介して伝送するためのものである。
【００２３】
撮影部２０は、カメラマン等のユーザが、印刷物に用いる被写体を撮影するためのもので、レンズ５４と、絞り５６と、シャッタ５８と、ＣＣＤ６０とを有する。
撮影用のレンズ５４は、被写体の画像をＣＣＤ６０上に結像させるためのものである。絞り５６は、レンズ５４から入射した被写体の像を担持する光のＣＣＤ６０上での光強度を調整するためのものである。シャッタ５８は、ＣＣＤ６０に入射させる被写体画像の担持光の光量を調整するためのものである。ＣＣＤ６０は、入射させる被写体像の担持光を被写体画像の電気信号に変換するものである。
撮影部２０によって撮影された被写体画像の電気信号は、制御部２２に送られる。
【００２４】
制御部２２は、撮影部２０によって撮影された被写体像の電気信号を、図示しないが、種々の補正回路等で補正し、アンプで増幅し、Ａ／Ｄ変換器でデジタル信号に変換して、デジタル画像データを得、得られたデジタル画像データをモニタ３０に表示するための画像表示用画像データに変換するための画像信号処理部と、必要に応じて、デジタル画像データに、色、濃度、彩度等の調整やシャープネス等の像構造を調整する処理を含む所要の画像処理を施して所要の画像処理済画像データとする画像処理部とを備えている。
また、制御部２２は、操作部２４から入力された操作信号や種々の入力データなどを受ける機能、画像データや種々のデータを作業用メモリ２６へ書き込む（記憶する）機能及びメモリ２６から読み出す機能、表示用画像データを表示用メモリ２８に書き込む機能等を備えている。
【００２５】
また、制御部２２は、照明センサ３４からの照明光の光量や色温度などの検出データを受け取り、検出データ等を照明情報とし、この照明情報を照明条件タグ等のタグ情報として画像データに添付して画像ファイル１８を作成する機能、作成された画像ファイル１８をネットワーク１６を介して画像出力側システム１４に伝送する機能等を備えている。この時、制御部２２は、画像ファイル１８のタグ情報に、さらに、モニタ３０のモニタ表示特性情報をモニタ特性タグとして含めても良い。ここで、モニタ特性タグとしては、モニタ３０の表示特性が特定できれば良いし、モニタ３０自体が分かれば良いので、モニタ３０自体の情報、モニタ３０の機種や種類や型式等であっても良い。また、制御部２２は、画像ファイル１８のタグ情報に、さらに、画像データの階調特性に関する情報、特に、照明センサ３４の照度などの検出データと表示用画像データの階調特性との関係を表す情報階調特性タグとして含めても良い。
さらに、制御部２２は、画像入力側システムの図示の構成要素及び不図示の構成要素を含めシステム全体を制御するものであっても良い。
【００２６】
操作部２４は、撮影部２０のレンズ５４のオートフォーカス機構（図示せず）や、絞り５６及びシャッタ５８の駆動機構（図示せず）の操作指示、メモリ２６の画像データ及び制御部２２での制御に用いる種々のデータ等の読み出し及び書き込み等の操作指示や、表示用データの表示用メモリ２８への書き込みの操作指示、モニタ３０による表示用メモリ２８からの表示用データの読み出し等の操作指示、モニタ３０の操作指示、照明センサ３４からの検出データの取り込みの操作指示、画像ファイル１８の作成指示及び画像出力側システム１４への伝送の操作指示などを行う部分である。
操作部２４は、後述する撮影装置６２や６４を構成する場合には、例えば、デジタルカメラなどに設けられるシャッタボタン等の各種のボタンやスイッチを含み、後述するパーソナルコンピュータ（ＰＣ）６６を構成する場合には、例えば、キーボードやマウスなどを含む。
【００２７】
メモリ２６は、撮影部２０で撮影された被写体画像の画像データ、照明センサ３４の検出データ、照明情報（照明条件タグ）や表示特性情報（モニタ特性タグ）等のタグ情報、もしくは、これらのタグ情報が画像データに添付された画像ファイル１８等、及び制御部２２での制御に用いる種々のデータ等を格納するものであり、画像データを格納する画像メモリや、制御部２２の画像信号処理部や画像処理部などによる処理のための作業メモリとして機能するものであっても良く、ＲＯＭ、ＲＡＭ、ハードディスク、各種の画像記録媒体等の種々の記憶デバイスによって構成され得る。
【００２８】
表示用メモリ２８は、制御部２２において撮影部２０で撮影された被写体画像の画像データから作成された、モニタ３０に表示させるための表示用画像データを格納するためのものであり、メモリ２６と同様に、ＲＡＭ、ハードディスク、各種の画像記録媒体等の種々の記憶デバイスによって構成され得る。
モニタ３０は、カメラマン等のユーザが印刷用として撮影した被写体画像、又はさらに制御部２２で色濃度調整などの画像処理が施された画像を確認するために、撮影部２０で撮影された被写体画像の表示用画像データや、画像処理済の表示用画像データを入力側において表示画像として表示するためのものである。
【００２９】
モニタ３０としては、少なくとも、カメラマン等のユーザが印刷用として撮影した被写体画像を確認するための画像を表示できれば、どのような画像表示装置でも良いが、確認の容易さからは、カメラマン等のユーザが撮影に用いるデジタルカメラ（デジタルスチルカメラ、デジタルビデオカメラ）のモニタ（表示部）であるのが良いし、確実に確認するためには、パーソナルコンピュータ（ＰＣ）などのモニタであるのが良いし、ＤＰＦ（デジタルフォトフレーム）などであっても良い。
【００３０】
したがって、画像入力側システム１２の撮影部２０、制御部２２、操作部２４、メモリ２６、表示用メモリ２８及びモニタ３０を、デジタルカメラなどの撮影装置６２によって構成しても良い。
または、図１に点線で示すように、撮影部２０、画像信号処理部を含む制御部２２並びに撮影や画像信号処理に係る操作部２４及びメモリ２６をデジタルカメラ等の撮影装置６４によって構成し、画像処理や画像ファイルの作成等に係る制御部２２、操作部２４及びメモリ２６と、表示用メモリ２８及びモニタ３０をＰＣ６６等によって構成しても良い。
もちろん、モニタ３０を持つＰＣとして、撮影装置６２や撮影装置６４と全く独立したものを用いても良い。
なお、タグ情報として用いられるモニタ３０のモニタ特性、またはモニタ自身の機種や型番等や、デジタルカメラ６２やＰＣ６６自身の機種や型番等のいずれかは、既知であることが好ましい。
【００３１】
光源３２は、モニタ３０の表示画面３０ａを照明する照明光を射出するものであり、屋外の撮影では、モニタ３０が屋外に置かれる場合があるので、その場合には、太陽光（高度によって色温度が変わる）等の自然光であり、なお、屋外の撮影でもモニタ３０が屋内に置かれる場合や、屋内の撮影では、蛍光灯や白熱灯や水銀灯やハロゲンランプなどの白色光源を挙げることができ、また、撮影スタジオなどでは、これらの光源を複数用いるライティング（照明用）光源などを挙げることができる。なお、光源３２を、ＲＧＢの３色のレーザやＬＥＤ、１色のレーザと蛍光体からなる疑似白色レーザ等で構成しても良い。
照明センサ３４は、モニタ３０の表示画面の近傍に取り付けられもしくは配置され、モニタ３０の表示画面を照明する光（環境光）測定し、従って照明環境を検出するものである。照明センサ３４としては、照明光や環境光を分光的に測定することができるもの分光センサであればどのようなものでも良く、分光センサであれば良いが、照明光の色温度及び光量の一方、好ましくは両方を測定することができる色彩計等の光センサであるのが好ましい。
本発明においては、照明センサ３４によって検出された照明情報（照明光の色温度及び光量）は、モニタ３０に制御に用いられるのではなく、画像データに添付するタグ情報として用いられる。
【００３２】
次に、画像出力側システム１４は、画像入力側システム１２から伝送された被写体画像の画像データを用いて、モニタ４４に被写体画像を再現表示すると共に、モニタ４４の表示画面に再現表示された被写体画像の見え又はその特徴が略一致するように照明環境を調整して、再現表示された被写体画像における入力側のカメラマンや発注者等のユーザの意図、あるいは見えの特徴として、ユーザの注目している画像領域と、ユーザが注目していない領域とを識別して確認し、又は判断し、確認結果、又は判断結果を用いて印刷用に供する、即ち製版に供するためのものである。なお、画像出力側システム１４は、通常、印刷用版を作製する製版所等に配置して用いられるものであるので、基本的に屋内に設置される。
なお、画像出力側システム１４の制御部３６、操作部３８、作業用メモリ４０、表示用メモリ４２及びモニタ４４を、ＰＣ６８等によって構成しても良いし、デジタルカメラ等の撮影装置によって構成しても良い。
【００３３】
画像出力側システム１４の制御部３６は、画像入力側システム１２の制御部２２と、撮影部２０からの画像信号の信号処理を行う画像信号処理部の機能を除いて同様の機能を有するものであり、画像入力側システム１２の制御部２２から伝送された画像ファイル１８を一旦作業用メモリ４０に格納し、その後、作業用メモリ４０に格納された画像ファイル１８の中の画像データを読み出して、必要に応じて画像処理した後、表示用画像データに変換して表示用メモリ４２に書き込む（格納する）と共に、作業用メモリ４０に格納された画像ファイル１８の中の照明情報を読み出し、読み出された照明情報を、照明光源４６の照明光を調整するために照明光源４６を制御する光源制御装置５０に送るなどの機能を有する。
本発明においては、照明情報などのタグ情報は、画像データに添付されて、画像データと共に画像ファイル１８として作成されているが、本発明はこれに限定されず、画像データとタグ情報とは、関連付けられており、両者を関連付けて画像出力側システム１４に伝送し、画像出力側システム１４において伝送された画像データ及びタグ情報を関連付けて読みだすことができれば、１つのファイルとして作成されていなくても良い。
【００３４】
操作部３８は、画像入力側システム１２の操作部２４と、撮影部２０の操作指示を行う機能を除いて同様の機能を有するものであり、画像入力側システム１２の制御部２２から受領した画像ファイル１８、またはその中の画像データ及びタグ情報の読み出し及び読みだされた画像ファイル１８、またはその中の画像データ及びタグ情報を作業用メモリ４０へ格納する操作指示、及び作業用メモリ４０から読み出す操作指示、制御部３６での制御に用いる種々のデータ等の、作業用メモリ４０からの読み出し及び作業用メモリ４０への書き込み等の操作指示や、表示用データの表示用メモリ４２への書き込みの操作指示、モニタ４４による表示用メモリ４２からの表示用データの読み出し等の操作指示、モニタ４４の操作指示、照明センサ４８からの検出データの取り込みの操作指示などを行う部分である。
操作部３８は、画像出力側システム１４をＰＣ６８を用いて構成している場合には、例えば、キーボードやマウスなどを含む。
【００３５】
作業用メモリ４０は、画像入力側システム１２のメモリ２６と、略同様の機能を有するものであり、画像ファイル１８から読みだされた被写体画像の画像データや添付のタグ情報、照明センサ４８の検出データ、照明情報（照明条件タグ）や表示特性情報（モニタ特性タグ）等のタグ情報、及び制御部３６での制御に用いる種々のデータ等を格納するものであり、画像データを格納する画像メモリや、制御部３６の画像処理部などによる処理のための作業メモリとして機能するものであり、ＲＯＭ、ＲＡＭ、ハードディスク、各種の画像記録媒体等の種々の記憶デバイスによって構成され得る。
表示用メモリ４２は、画像ファイル１８から読みだされた被写体画像の画像データから作成された、モニタ４４に表示させるための表示用画像データを格納するためのものであり、作業用メモリ４０と同様に、ＲＡＭ、ハードディスク、各種の画像記録媒体等の種々の記憶デバイスによって構成され得る。
【００３６】
モニタ４４は、出力側において、製版所等の受け手側（出力側）のユーザが、入力側のカメラマンや発注者等のユーザによってモニタ３０に表示された画像を確認するために、画像ファイル１８として入力側から送られてきた被写体画像の画像データからそのまま、又は必要に応じて画像処理された後に、変換された表示用画像データを再現して、モニタ３０に表示された画像とその見え又はその特徴が略一致する表示画像として表示するためのものである。
モニタ４４としては、表示用画像データを再現して、少なくとも、カメラマン等のユーザによってモニタ３０に表示された画像を確認することができるように、その見え又はその特徴が略一致する表示画像として表示することができれば、どのような画像表示装置でも良く、例えば、タグ情報として画像データに添付されたモニタ３０の表示特性情報（モニタ特性タグ）に基づいて、モニタ３０の表示特性と同様な表示特性に制御され、モニタ３０の表示特性と同じ、もしくは同様の表示特性で表示できれば良い。
【００３７】
モニタ４４としては、より好ましくは、モニタ３０と同じモニタであるのがよい。
特に、モニタ４４としては、例えば、確認の容易さから、モニタ３０として、カメラマン等の入力側のユーザが撮影に用いるデジタルカメラのモニタを用いている場合には、同じデジタルカメラのモニタを用いるのが好ましく、確実に確認するために、ＰＣ等のモニタや、ＤＰＦ等を用いている場合には、同じＰＣのモニタや同じＤＰＦを用いるのが好ましい。なお、この場合には、タグ情報として画像データに添付されたモニタ３０の機種や型番等や、デジタルカメラ６２やＰＣ６６自身の機種や型番等を利用するのが好ましい。
【００３８】
光源４６は、モニタ４４の表示画面４４ａを照明する照明光を射出するものであり、基本的に屋内に配置され、光源制御装置５０によって、射出される照明光を調整できるものであれば、例えば、照明光の色温度及び光量の一方、好ましくは両方を制御できるものであれば、いかなる光源でも良く、例えば、画像入力側システム１２の光源３２と同様に、蛍光灯や白熱灯や水銀灯やハロゲンランプ等の白色光源を挙げることができる。
本発明では、まず、光源４６は、上記タグ情報の照明情報に基づいて光源制御装置５０によって制御され、モニタ４４の表示画面４４ａの照明環境として、モニタ３０の表示画面３０ａの照明環境を再現するのに用いられる。
【００３９】
例えば、光源４６として、照明光の色温度及び光量の両方を制御できるように、例えば図２に示すように、白色光源４６ａと、ＣＭＹ（又はＲＧＢ）の３原色の色フィルタ７０ａ、７０ｂ及び７０ｃとを組み合わせた光源装置を用い、白色光源４６ａから射出された照明光に３原色の色フィルタ７０ａ、７０ｂ及び７０ｃを作用させ、それらの挿入量を制御することにより、照明光の色温度を制御し、白色光源４６ａに印加する電圧等を制御することにより、あるいは、白色光源４６ａから射出された照明光に図示しない絞りを作用させて絞りのアパーチャ（開口）を調整することにより、照明光の光量を調整するようにしても良い。なお、光源４６を、画像入力側システム１２の光源３２と同様に、ＲＧＢの３色のレーザやＬＥＤ等で構成し、各色のレーザやＬＥＤの光量を独立に制御することにより、照明光の色温度と光量とを同時に制御するようにしても良い。
【００４０】
光源制御部５０は、タグ情報として画像データに添付された照明情報（照明条件タグ）に基づいて、光源４６を制御するための制御装置であって、入力側の照明情報に基づいてモニタ４４の表示画面４４ａに再現表示された被写体画像の見えまたはその特徴が、モニタ３０の表示画面に表示された被写体画像の見えまたはその特徴と略一致するように、光源４６からの照明光、特にその色温度及び光量の一方、好ましくは両方を制御するものである。
特に、光源制御装置５０は、照明情報に基づいて、モニタ４４の表示画面４４ａの照明環境をモニタ３０の表示画面３０ａの照明環境と略同一になるように光源４６からの照明光の色温度及び光量の少なくとも一方を制御して、モニタ４４の表示画像の見えと、ニタ３０の表示画像の見えとを略一致させるものである。
【００４１】
照明センサ４８は、モニタ４４の表示画面の近傍に取り付けられもしくは配置され、モニタ４４の表示画面を照明する光（環境光）測定し、従って照明環境を検出するものである。照明センサ４８としては、画像入力側システム１２の照明センサ３４と同様な分光センサや、色彩計等の光センサであるのが好ましい。
ところで、本発明において、照明情報に基づいた光源制御装置５０による光源４６の制御によってモニタ４４の照明環境とモニタ３０の照明環境とが略同一となり、モニタ４４の表示画像の見えと、モニタ３０の表示画像の見えとを略一致させることができれば、画像出力側システム１４においては、照明センサ４８を設ける必要はないが、光源制御装置５０による光源４６の制御を高精度に行うには設ける方が好ましい。
この場合には、光源制御装置５０は、照明情報及び照明センサ４８によって検出された光源４６からの照明光の検出結果に基づいて、モニタ４４の表示画面を照明する照明光とモニタ３０の表示画面を照明する照明光とが同一となり、モニタ４４の表示画像の見えとモニタ３０の表示画像の見えとが一致するように、光源４６を制御することができる。
【００４２】
本発明の画像入出力システム１０は、画像入力側システム１２においても、画像出力側システム１４においても、モニタ３０及び４４に表示される被写体画像の画像データを補正することなく、両モニタ３０及び４４の照明環境を一致もしくは略一致させることができ、両モニタ３０及び４４の表示画像の見えの略一致もしくは一致を図ることができる。
こうして、このような画像入出力システムにおいては、モニタ表示画像の色制御機構が不要であり、システムのコスト上昇を招くことがない。
また、製版所などの受け手側（出力側）のユーザは、送り手側（入力側）のカメラマンや発注者等がモニタ３０の表示画像においてどのような画像や色を見ていたかを認識することができ、確実に知ることができるので、認識された画像や色に基づいて、印刷物上でカメラマン等の送り手側の意図通りの画像に調整することができる。すなわち、受け手側のモニタ４４の照明環境の照明光を、モニタ３０の照明環境の照明光から、標準光源による照明光に戻して、画像ファイルの画像データの色味を印刷物上で送り手側の意図通り、適切に仕上がるように調整することができる。
【００４３】
本発明の画像入出力システム１０は、基本的に以上のように構成されるものであるが、本発明は、これに限定されず、モニタ３０をその表示画像を見ながら画像データの色を調整することができるように構成し、画像データに、タグ情報として、照明情報（照明環境の検出情報）と、照明情報によるモニタ階調特性の変化情報（モニタ３０の階調特性が照明環境でどう変化するかを示す情報）を付与して、画像出力側システム１４に伝送し、そのモニタ４４において画像データを再生して被写体画像を表示する際に、タグ情報のモニタ階調特性の変化情報に対応して再生画像の表示を制御するようにしても良い。
例えば、図３（ａ）に示すように、モニタ３０に表示された表示画像７２において、例えば、逆光等により、濃度が高い領域が存在すると、モニタ３０の照明環境がある程度明るい場合、これらの領域は暗く、送り手側のユーザはこれらの領域の画像や色の認識は不十分となり、所定の照明環境下において、所定の濃度以上の濃度領域は、送り手側の照明環境下では精度良く見えない領域となるので、図３（ｂ）に示すように、受け手側のモニタ４０での表示画像７２において、これらの領域を識別できるレイヤ７４を重ねることにより、これらの領域をモニタ４０の表示画面４４ａ上において識別可能に表示することができる。
【００４４】
すなわち、このような本発明の第２の実施形態においては、受け手側のモニタ４０は、画像ファイル１８に付与されたタグ情報の照明情報における照明環境と、受け手側の照明センサ４８によって検出された照明環境の差に基づいて、受け手側のモニタ４０での色再現特性を制御する。その際、カメラマン等の送り手側の照明環境下ではモニタ３０の表示画像の精度良く見えない領域をモニタ４０上に識別できるように表示する。
その結果、画像データを受け取った受け手側は、カメラマン等の送り手側のユーザがどの領域の色を確認していたかを認識でき、それを元に印刷物の上で適切な画質になるよう被写体画像の色を調整することができる。
【００４５】
また、本実施形態では、照明環境が変化する送り手側のモニタ３０では、表示画像の色の制御を行わず、受け手側のモニタ４４でのみ表示画像の色の制御を行うので、数量が多いカメラマン用モニタ等の送り手側のモニタ３０のコストが抑えられ、全体のコストダウンにつながる。
また、本実施形態では、送り手側のモニタ３０の表示画面の照明環境が原因で、モニタ３０の表示画像の色確認の精度の悪くなっている領域が分るので、色確認の精度の良い領域の色は、カメラマン等の送り手側の指示通り仕上げ、色確認の精度の悪い領域の画質は受け手側が調整するという、リーズナブルな分業が可能になる。
【００４６】
次に、図４及び図５を参照して本発明の第３の実施形態について説明する
図４に示す画像入力側システム１２は、図１に示す画像入力側システム１２の撮影部２０を除いたＰＣ６６と、照明光源３２と、照明センサ３４とを示すものである。
また、図５に示す画像入出力システム１０は、図１に示す画像入出力システム１０において、画像出力側システム１４の照明センサ４８を除いたものである。
本実施形態においては、画像入力側システム１２の制御部２２によって階段状の濃度パターンデータを発生させ、モニタ３０の表示画面に輝度を段階的に変えたパターンを表示し、暗い部分の階調識別性が、照明光源３２の照明光による照度によってどう変るかの関係を予め記憶しておく。即ち、照明光源３２の照明光による照明光量を変化させた時、モニタ３０に表示された階段パターンの濃度差が、暗い側から何段目まで識別可能かを目視でチェックして、照明センサ３４の出力値と共にメモリ２６に記憶させる。
なお、本実施形態では、モニタ３０は、その表示画面に照明光源３２が映りこまないノングレアタイプであることが好ましく、厳密に識別するためには、ノングレアタイプであることが必要である。
【００４７】
次に、送り手側のモニタ３０の表示画像を色調整した上で受けて側に伝達したい画像をモニタ３０の表示画面に表示した際には、色調整時の照明センサ３４の照明情報を、メモリ２６から読み出された照度と階調識別性の関係情報と共に、画像データを含む画像ファイル１８にタグ情報として付与する。
この後、図５に示すように、画像ファイル１８が、送り手側の画像入力側システム１２から受け手側の画像出力側システム１４にネットワーク１６を介して伝送される。
【００４８】
画像ファイル１８を受け取った受け手側の画像出力側システム１４の制御部３６では、画像ファイル１８に付与されたタグ情報の照明情報と、照度と階調識別性の関係情報とを用いて、カメラマン等の送り手側の照明環境下では階調の識別ができていない領域の画像データを抽出し、抽出された画像データを特定の色濃度を示す画像データに変換した上で表示用画像データに変換して、製版会社等の受け手側のモニタ４４では、画像上で識別できるように表示する。
例えば、図５に示すように、モニタ３０の表示画面に表示された画像には３人の人物が写っており、真ん中の人物の着ている暗い色の服の階調が、カメラマン等の送り手側のモニタ３０の表示画像では識別不能であったことを、この領域を特別な色、例えば、赤く表示することで判別可能にすることができる。
【００４９】
その結果、被写体画像の画像データを受け取った受け手側は、送り手側のカメラマンがどの領域の色を確認していたかを判別でき、それを元に印刷物の上で適切な画質になるよう画像の色を調整することができる。
なお、製版会社等の受け手側の作業環境は、カメラマン等の送り手側の作業環境と異なり、モニタ４４の階調再現性が引き出せるように管理されていることが好ましく、厳密には、そのような作業環境の管理を前提としている。
このように、本実施形態では、画像データや映像信号に補正を加えるのではなく、視環境の差によって生ずる見えの差の内、暗い部分で色や階調の識別性の違いが生じている領域が判別できるように表示するので、受け手側は、送り手側の意図や、送り手側が精度良く識別できていない領域を容易にかつ正確に認識することができる。
【００５０】
したがって、本実施形態では、照明環境が変化する送り手側のモニタ３０では、表示画像の色の制御を行わず、照明環境の差が原因で、モニタ３０の表示画像において、色や階調の確認の精度の悪くなっている領域のみ判別可能にするので、照明環境のコントロールが難しいカメラマン等の送り手側の作業環境に手を加える必要がなく、システム全体のコストダウンが可能である。
また、本実施形態では、送り手側のモニタ３０の表示画面の照明環境が原因で、モニタ３０の表示画像の色や階調の確認の精度の悪くなっている領域が分るので、上述の第２実施形態と同様に、色確認の精度の良い領域の色は、カメラマン等の送り手側の指示通り仕上げ、色確認の精度の悪い領域の画質は受け手側が調整するという、リーズナブルな分業が可能になる。
【００５１】
本発明の画像入出力システムは、基本的に以上のように構成されるものであるが、以下に、本発明の画像入出力システムの作用及び本発明の画像入出力方法について説明する。
図６は、本発明の画像入出力方法の一例を示すフローチャートである。
まず、図１に示す画像入出力システム１０の画像入力側システム１２において、撮影部２０によって、被写体が撮影される（ステップＳ１０参照）。
次に、制御部２２の画像信号処理部によって、ステップＳ１２において、被写体画像のデジタル画像データを取得し、ステップＳ１４において、被写体画像の画像データを表示用画像データに変換する。
【００５２】
次に、ステップＳ１６において、表示用画像データに基づいて被写体画像を入力側のモニタ３０の表示画面に表示する。
この時、ステップＳ１８において、被写体画像が表示されたモニタ３０の表示画面を照明する照明光を照明センサ３４で検出して照明情報を取得する。
続いて、ステップＳ２０において、画像データに、照明センサ３４で検出された照明光の照明情報をタグ情報として添付して画像ファイル１８を作成する。
こうして、送り手側の画像入力側システム１２における処理が終了する。
【００５３】
この後、図１に示す画像入出力システム１０の画像出力側システム１４において、画像入力側システム１２からネットワークを介して伝送された画像ファイル１８を受け取る。
次に、ステップＳ２２において、受け取った画像ファイル１８のタグ情報が添付された画像データに基づいて被写体画像を出力側のモニタ４４の表示画面に再現表示する。
同時に、ステップＳ２４において、被写体画像が表示されたモニタ４４の表示画面を光源４６からの照明光で照明し、画像ファイル１８のタグ情報の照明情報に基づいて、光源制御部５０によって、光源４６を制御して光源４６からの照明光（の色温度及び光量）を調整する。
こうして、ステップＳ２６において、出力側モニタ４４の表示画面に再現表示された被写体画像の照明環境と入力側モニタ３０の表示画面に表示された被写体画像の照明環境との一致又は略一致による両表示画像の見えまたはその特徴一致又は略一致を実現することができる。
【００５４】
以上、本発明の画像入出力方法及びシステムについて詳細に説明したが、本発明は上記種々の実施例に限定されず、本発明の主旨を逸脱しない範囲において、種々の改良や変更をしてもよいのはもちろんである。
【符号の説明】
【００５５】
１０  画像入出力システム
１２  画像入力側システム
１４  画像出力側システム
１６  ネットワーク
１８  画像ファイル
２０  撮影部
２２  制御部（画像信号処理部）
２４、３８  操作部
２６  メモリ
２８、４２  表示用メモリ
３０、４４  モニタ
３２、４６  照明光源
３４、４８  照明センサ
３６  制御部
４０  作業用メモリ４０
５０  光源制御部５０
【図１】
2010239498.tif 000003
【図２】
2010239498.tif 000004
【図３】
2010239498.tif 000005
【図４】
2010239498.tif 000006
【図５】
2010239498.tif 000007
【図６】
2010239498.tif 000008